(57)【要約】      （修正有）        【課題】        ポインティング装置において微細な位置情報入力を行う場合や、初心者や指の        力が弱い人が操作する場合に生じやすい、クリック感を備えたスイッチ操作時の        振れによる位置情報の誤入力の問題を解決し、快適な操作性を実現する手段        を提供する。      【解決手段】      位置情報等を入力するポインティング装置１であって、クリック感を備えたスイッ      チ２を操作する時、操作の過程においてクリック感が発生するよりも前にスイッチ      操作部分４に指等で操作力が加えられたことを検知する手段３を備え、この検知      出力を用いてスイッチ操作部分４に圧力を加え始めてからクリック感が生じるまで      の過程の間に、位置情報の検出移動量あたりのカウント数を減らす手段を備え、      前記クリック感を備えたスイッチ２が電気的に作動した時点１０と同時か、もしく      は電気的に作動した時点１０から短時間の間に位置入力機能を元の状態に戻す手段      を備えたことを特徴とするポインティング装置。      【選択図】  図１
2006164124.tif 000002
【特許請求の範囲】
【請求項１】
位置情報等を入力するポインティング装置１であって、この同一筐体に備わるところの、
例えば選択、決定などの操作に用いられるクリック感を備えたスイッチ２を操作する時、
操作の過程においてクリック感が発生するよりも前にこのスイッチ２に操作力を伝える
ところのスイッチ操作部分４に指等で操作力が加えられたことを検知する手段３を備え、
この検知出力を用いてスイッチ操作部分４に力を加え始めてからクリック感が生じるまで
の過程の間に、ポインティング装置１から出力する位置情報を停止、もしくは位置情報の
検出機能を停止、もしくは位置情報の検出感度を落とす、もしくは位置情報の検出移動量
あたりのカウント数を減らす、もしくはポインティング装置１が接続された機器側で位置
情報の入力又は処理を停止等の方法によって、位置情報の入力機能を停止もしくは位置
情報の入力操作における操作対象物（たとえば表示画面中のカーソル）の反応移動量を
減らす手段を備えたことを特徴とするポインティング装置。
【請求項２】
請求項１記載の手段によってポインティング装置１の位置情報の入力機能を停止もしくは
位置情報の入力操作における操作対象物の反応移動量を減らした後、クリック感を備えた
スイッチ２が電気的に作動した時点１０と同時か、もしくは電気的に作動した時点１０
から例えば１秒以内等の短時間の間にポインティング装置１からの位置情報の出力を
再開、もしくは位置情報の検出機能を復帰、もしくは位置情報の検出感度を戻す、
もしくは位置情報の検出移動量あたりのカウント数を戻すもしくはポインティング装置１
が接続された機器側で位置情報の入力又は処理を再開すること等によって、位置情報の
入力機能を、スイッチ操作部分４に操作力が加えられたことを検知する前の状態に戻す
手段を備えたことを特徴とする請求項１記載のポインティング装置。
【請求項３】
スイッチ操作部分４に指等で圧力が加えられたことを検知する手段３として、クリック感
を備えたスイッチ２に応力を伝えるスイッチ操作部分４の表面から、クリック感を備えた
スイッチ２の操作圧力が受け止められる部位までの間の操作力が伝達される部分に、
クリック感を備えたスイッチ２の操作力よりも小さい操作力で作動するスイッチか、
もしくは感圧センサ等の圧力を検出する手段、もしくは可変抵抗器等によるスイッチ
操作部分４もしくはスイッチ２の操作ストローク量を検出する手段を備えたことを特徴
とする請求項１記載のポインティング装置。
【発明の詳細な説明】
【技術分野】
【０００１】
本発明は、コンピュータ、ビデオゲーム機等において表示装置に表示されたカーソル位置
等を入力操作するために用いるマウス等のポインティング装置に関するものである。
【背景技術】
【０００２】
従来のマウスに代表されるポインティング装置は位置情報を入力する機能と画面上の
カーソル位置に示された機能や座標等を選択、決定するためのスイッチをひとつの筐体に
備えていた。そして、この選択、決定するためのスイッチには、操作が確実に行われた
ことを操作者に伝えるため、操作力に変化を持たせ、スイッチ作動時に「カチッ」という
クリック感を発生させているものがほとんどである。
【発明の開示】
【発明が解決しようとする課題】
【０００３】
ところが、このようなクリック感は、微細な位置情報の入力を行っている作業時には
クリック感触による操作トルクの変動によって、選択、決定するためのスイッチが作動
する直前でわずかにポインティング装置１を操作する手が振れてしまい、意図した位置
から外れた位置で選択、決定を行ってしまうという誤入力の問題があった。ポインティ
ング装置の操作性においては、例えばマウスの場合、操作台上における良好な滑りと
明快で心地よいクリック感が追求されるが、これらを求めれば求める程先述の問題が
より顕在化することは明白である。このような問題は、ポインティング装置を扱う作業に
おいて作業効率を下げることになり、ストレスの原因にもなる。また、微細な操作作業
ではない場合においても、特に初心者や指の力が弱い人等にとっては、この問題が生じ
やすい。
【０００４】
本発明は、このような従来のポインティング装置にあった問題を解決し、快適な操作性を
提供することを目的とするものである。
【課題を解決するための手段】
【０００５】
選択、決定等を行うクリック感を備えたスイッチ２において、小さなクリック感であって
も操作者に伝わる程度の操作力の変動特性を備える以上、人が手で操作するポインティン
グ装置１の振れ自体を抑えることは困難である。そこで、本発明ではポインティング
装置１の振れを抑える代わりに、適切なタイミングで位置情報の入力もしくは出力を
停止、もしくは位置情報の検出機能を停止、もしくは位置情報の検出感度を落とす、
もしくは位置情報の検出移動量あたりのカウント数を減らす等の方法によって、ポイン
ティング装置１で操作する対象の物（例えばコンピュータ表示画面中のカーソル等）の
位置操作を停止もしくは減速することによって誤入力を防止する。
【０００６】
この誤入力防止機能の実現方法および作動タイミングは次の通りである。選択、決定
などの操作に用いられるクリック感を備えたスイッチ２を操作する時、操作の過程に
おいてクリック感を発生するよりも前の時点でスイッチ操作部分４に指等で操作力が
加えられたことを検知する手段３を備え、この検知出力を用いてスイッチ操作部分４に
圧力を加え始めてからクリック感が生じるまでの過程の間に、ポインティング装置１から
の位置情報の出力を停止、もしくは位置情報の検出機能を停止、もしくは位置情報の
検出感度を落とす、もしくは位置情報の検出移動量あたりのカウント数を減らす、
もしくはポインティング装置１が接続された機器側で位置情報の入力又は入力信号の
処理を停止等の方法によって、ポインティング装置１の位置情報の入力機能を停止
もしくは位置情報の入力操作における操作対象物、たとえば表示画面中のカーソルの
反応移動量を減らす手段を備える。これによって誤入力の原因となるクリック感の
発生直前にカーソル等の操作する対象物の動きを制限することが可能となる。操作する
対象の物の動きを規制すればクリック感により誘発されたポインティング装置１の不要な
動きを無視もしくは減少させることが可能となり、この結果、誤入力の問題が解決する。
【０００７】
操作する対象の物の動きを制限したままでは、選択、決定等を行うクリック感を備えた
スイッチ２操作後の次の操作に支障が生じる。このため、本発明では次のようなタイ
ミングで誤入力防止機能を解除する手段を備える。クリック感を備えたスイッチ２が
電気的に作動した時点１０と同時もしくは例えば１秒以内等の短時間の間に、ポイン
ティング装置１からの位置情報の出力を再開、もしくは位置情報の検出機能を復帰、
もしくは位置情報の検出感度を戻す、もしくは位置情報の検出移動量あたりのカウント数
を戻す、もしくはポインティング装置１が接続された機器側で位置情報の入力又は入力
信号の処理を再開こと等によって、ポインティング装置１で操作する対象の物の位置
入力機能を元の状態に戻す手段を備える。
【０００８】
本発明の誤操作防止機能を正常に機能させるためには、前述のスイッチ操作部分４に
指等で圧力が加えられたことを検知する手段３が、クリック感を備えたスイッチ２の
クリック感発生前に確実に圧力を検知する必要がある。これを実現するため本発明では、
クリック感を備えたスイッチ２に応力を伝えるスイッチ操作部分４の表面から、クリック
感を備えたスイッチ２の操作圧力が受け止められる部位までの間に、クリック感を
備えたスイッチ２の操作力よりも小さい操作力で作動するスイッチか、もしくは感圧
センサ等の圧力を検出する手段、もしくは可変抵抗器等によるスイッチ操作部分４
もしくはスイッチ２の操作ストローク量を検出する手段を備える。これによって、
クリック感を備えたスイッチ２が作動する前に圧力が加えられたことを検知する手段３を
適切に機能させることが可能となる。
【発明の効果】
【０００９】
本発明により、ポインティング装置の操作において、ＣＡＤによる図面作成やＣＧ製作
等の微細な位置情報入力を行う場合や、初心者や指の力が弱い人が操作する場合に生じ
やすい、クリック感を備えたスイッチ操作時の振れによる位置情報の誤入力の問題が
解決する。また、例えばマウスにおいては、作業台上の滑らかな滑走性と、スイッチ類の
歯切れの良いクリック感の両方を追求する上でも、このような誤入力の問題が障害で
あったが、本発明によって問題が取り除かれ、一層の操作性の改良を図ることが可能に
なる。また、副次的な効果として例えばマウスの場合、意図的にスイッチを軽く押さえる
ことで表示画面上の入力位置を静止させたまま、作業台の端に寄りすぎたマウスを作業台
中央部に戻すといった使い方も可能となる。同じく副次的効果として、位置情報検出手段
を停止させる代わりに反応移動量を減らした場合には、選択、決定操作等の直前に意図的
にスイッチを軽く押さえた状態で表示装置上のカーソル位置の微調整が容易になる。
【発明を実施するための最良の形態】
【００１０】
以下、本発明の実施の形態を図1〜図３に基づいて説明する。
【実施例１】
【００１１】
図１はコンピュータの入力等に用いるマウスに本発明を導入した例を示す簡略化した
断面図である。であり、スイッチ操作部分４に指等で圧力が加えられたことを検知する
手段３としてメンブレンスイッチ等の薄型シート状スイッチをスイッチ操作部４の表面に
備えたものである。薄型シートスイッチの配線は、フィルム基板等の柔軟な屈曲性を
備える手段によって基板に備えるコネクタに導き、これに接続することで、スイッチ操作
部分４の動きを阻害せずに回路基板と電気的に接続している。この薄型シートスイッチの
作動力はクリック感を備えたスイッチ２よりも軽いものを用いることで、スイッチ２が
クリック感を発生するよりも前の段階の弱い操作力によって作動し、操作者がスイッチ２
を作動させようとしていることを検知する。尚、薄型シートスイッチを用いる利点は
操作ストローク量が少ない事である。操作ストローク量が少なければクリックを備えた
スイッチ２の操作性に影響を及ぼし難いという利点がある。
【００１２】
次に誤入力防止機能を得るための作動タイミングの１例を図２に示す。図の下側の
スイッチストローク量-スイッチ操作力特性のグラフはクリック感を備えたスイッチ２
の操作特性６である。スイッチ操作力の上昇過程において一旦下がる谷間が生じて
いるが、この落差の部分がクリック感として感じられる部分である。誤操作を防ぐ
ためにはこのクリック感が発生するよりも前の時点で誤入力防止動作を行う必用がある。
この例ではクリック感発生開始７よりも前に、先に述べたスイッチ２より操作力が軽い
薄型シート状スイッチが作動し、マウスに備えた位置情報検出手段の検出機能を停止
する。マウスの位置情報検出手段の検出機能作動タイミング９はスイッチ２の作動力
特性６の上に示している。この更に上に示しているのはクリック感を備えたスイッチ２の
電気的作動タイミングである。
【００１３】
マウスに備えた位置情報検出手段の検出機能を停止する方法は、この実施例では次の
通りである。図１のマウスは光学式を示しており、検出機能を停止する場合は、受光
センサの信号処理を停止してもよいし、位置変移検出用の発光ダイオードやレーザー
ダイオード等の発光手段を減光もしくは消灯してもよい。ボール式マウスであれば
ボールに接して回転するロータリーエンコーダからの入力信号の処理を停止すればよい。
【００１４】
また、位置情報の検出を停止する方法の代わりに操作対象物の位置入力操作における
反応移動量を減らしてもよい。圧力が加えられたことを検知する手段３の検知出力を
得た時点でカウント数を少なく切り替えることで、これが可能である。たとえば１インチ
移動させたときに送る移動量を伝える値を１００カウント以下、もしくは５０カウント
以下などの値に切り替えることで反応移動量が減り、ポインティング装置１の僅かの
振れであれば、例えば表示画面中のカーソルを操作する場合、この移動を抑えることが
出来る。
【００１５】
誤入力防止機能を解除するために停止した位置情報検出手段の検出機能を元の状態に
復帰させるタイミングは、クリック感を備えたスイッチ２が電気的に作動した時点１０と
同時か、もしくはスイッチ２が電気的に作動してから例えば１秒以内等の短時間の間に
行う。これは、スイッチ２を押したままの状態で操作する場合があるため、この様な
タイミングで復帰させる必用がある。図２はクリック感を備えたスイッチ２が電気的に
作動した時点１０で同時に位置情報検出手段の検出機能を「非検出」から「検出」の
状態に復帰させていることを示している。
【実施例２】
【００１６】
実施例１では操作力が加えられたことを検知する手段３をスイッチ操作部分４の表面に
備えているが、この位置はスイッチ操作部分４の表面から、クリック感を備えた
スイッチ２の操作力が受け止められる部位までの間の操作力が伝達されるいずれの位置に
この手段を備えてもよい。実施例２では、ポインティング装置であるマウスにおいて、
スイッチ操作部分４表面に操作力が加えられたことを検知する手段３をマウス底面の
滑走手段に備えた例を示す。クリック感を備えたスイッチ２になるべく近い位置に備える
ことで、操作力を検知しやすくしている。マウスを操作する作業台が充分硬い素材である
ことを前提とする場合、このような位置でも操作力の検知が可能である。その他の部分に
ついては実施例１と同様である。
【００１７】
尚、実施例１および実施例２ではクリック感を備えたスイッチ２と、スイッチ操作部分４
に操作力が加えられたことを検知する手段３を別々の部品として備えているが、これらは
例えば２段階スイッチの様に、ひとつの部品にまとめたものを用いても良い。但し、
２段階スイッチの場合は最初に作動する側のスイッチをスイッチ操作部分４に操作力が
加えられたことを検知する手段３として用いるため、最初に作動するスイッチには
クリック感を備えないことが望ましい。最初に作動する側のスイッチにクリック感を
備える場合には手振れが生じる恐れが無い程度の微弱なクリック感にする必要がある。
【図面の簡単な説明】
【００１８】
【図１】ポインティング装置の実施方法を示した断面図である。（実施例１）
【図２】ポインティング装置の作動タイミングを示した説明図である。
【図３】ポインティング装置の実施方法を示した断面図である。（実施例２）
【符号の説明】
【００１９】
１  ポインティング装置
２  クリック感を備えたスイッチ
３  操作力が加えられたことを検知する手段
４  スイッチ操作部分
５  位置情報検出手段
６  クリック感を備えたスイッチ２の操作力特性
７  クリック感発生開始
８  クリック感を備えたスイッチ２の電気的作動タイミング
９  位置情報検出手段の検出機能作動タイミング
１０  クリック感を備えたスイッチ２が電気的に作動
【図１】
2006164124.tif 000003
【図２】
2006164124.tif 000004
【図３】
2006164124.tif 000005
【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
位置情報等を入力するポインティング装置１であって、この同一筐体に備わる
ところの、例えば選択、決定などの操作に用いられるクリック感を備えたスイッ
チ２を操作する時、操作の過程においてクリック感が発生するよりも前にこのス
イッチ２に操作力を伝えるところのスイッチ操作部分４に指等で操作力が加えられ
たことを検知する手段３を備え、この検知出力を用いてスイッチ操作部分４に力を
加え始めてからクリック感が生じるまでの過程の間に、位置情報の検出移動量
あたりのカウント数を減らすことによって、位置情報の入力操作における操作
対象物（たとえば表示画面中のカーソル）の反応移動量を減らす手段を備え、
これによってポインティング装置１の位置情報の入力操作における操作対象物の
反応移動量を減らした後、クリック感を備えたスイッチ２が電気的に作動した
時点１０と同時か、もしくは電気的に作動した時点１０から例えば１秒以内等の
短時間の間にポインティング装置１の位置情報の検出移動量あたりのカウント
数を位置情報の入力機能をスイッチ操作部分４に操作力が加えられたことを
検知する前の状態に戻す手段を備えたことを特徴とするポインティング装置。
【請求項２】
スイッチ操作部分４に指等で操作力が加えられたことを検知する手段３として、
クリック感を備えたスイッチ２に応力を伝えるスイッチ操作部分４の表面から、
クリック感を備えたスイッチ２の操作圧力が受け止められる部位までの間の操作
力が伝達される部分に、クリック感を備えたスイッチ２の操作力よりも小さい操作
力で作動するスイッチか、もしくは感圧センサ等の圧力を検出する手段、もしくは
可変抵抗器等によるスイッチ操作部分４もしくはスイッチ２の操作ストローク量を
検出する手段を備えたことを特徴とする請求項１記載のポインティング装置。
【手続補正２】
【補正対象書類名】明細書
【補正対象項目名】全文
【補正方法】変更
【補正の内容】
【発明の詳細な説明】
【技術分野】
【０００１】
本発明は、コンピュータ、ビデオゲーム機等において表示装置に表示された
カーソル位置等を入力操作するために用いるマウス等のポインティング装置に
関するものである。
【背景技術】
【０００２】
従来のマウスに代表されるポインティング装置は位置情報を入力する機能と
画面上のカーソル位置に示された機能や座標等を選択、決定するためのスイッチ
をひとつの筐体に備えていた。そして、この選択、決定するためのスイッチには、
操作が確実に行われたことを操作者に伝えるため、操作力に変化を持たせ、スイッ
チ作動時に「カチッ」というクリック感を発生させているものがほとんどである。
【発明の開示】
【発明が解決しようとする課題】
【０００３】
ところが、このようなクリック感には、微細な位置情報の入力を行っている作業
時にクリック感触による操作トルクの変動によって、選択、決定するためのスイッ
チが作動する直前でわずかにポインティング装置１を操作する手が振れてしまい、
意図した位置から外れた位置で選択、決定を行ってしまうという誤入力の問題が
あった。ポインティング装置の操作性においては、例えばマウスの場合、操作台
上における良好な滑りと明快で心地よいクリック感が追求されるが、これらを
求めれば求める程先述の問題がより顕在化することは明白である。このような
問題は、ポインティング装置を扱う作業において作業効率を下げることになり、
ストレスの原因にもなる。また、微細な操作作業ではない場合においても、特に
初心者や指の力が弱い人等にとっては、この問題が生じやすい。
【０００４】
本発明は、このような従来のポインティング装置にあった問題を解決し、快適な
操作性を提供することを目的とするものである。
【課題を解決するための手段】
【０００５】
選択、決定等を行うクリック感を備えたスイッチ２において、小さなクリック感で
あっても操作者に伝わる程度の操作力の変動特性を備える以上、人が手で操作
するポインティング装置１の振れ自体を抑えることは困難である。そこで、本発明
ではポインティング装置１の振れを抑える代わりに、適切なタイミングで位置情報
の検出移動量あたりのカウント数を減らす方法によって、ポインティング装置１で
操作する対象の物（例えばコンピュータ表示画面中のカーソル等）の位置操作を
減速し、誤入力を防止する。
【０００６】
この誤入力防止機能の実現方法および作動タイミングは次の通りである。選択、
決定などの操作に用いられるクリック感を備えたスイッチ２を操作する時、操作の
過程においてクリック感を発生するよりも前の時点でスイッチ操作部分４に指等で
操作力が加えられたことを検知する手段３を備え、この検知出力を用いてスイッチ
操作部分４に圧力を加え始めてからクリック感が生じるまでの過程の間に、ポイン
ティング装置１の、位置情報の検出移動量あたりのカウント数を減らすことに
よって、ポインティング装置１の位置情報の入力操作における操作対象物、例えば
表示画面中のカーソルの反応移動量を減らす手段を備える。
【０００７】
これによって誤入力の原因となるクリック感の発生直前にカーソル等の操作する
対象物の動きが制限される。操作する対象の物の動きが制限されればクリック感
により誘発されたポインティング装置１の不要な動きが減少し、誤入力の問題が
解決する。
【０００８】
操作する対象の物の動きを制限したままでは、選択、決定等を行うクリック感を
備えたスイッチ２操作後の次の操作に支障が生じる。このため、本発明では
次のようなタイミングで誤入力防止機能を解除する手段を備える。クリック感を
備えたスイッチ２が電気的に作動した時点１０と同時もしくは例えば１秒以内等の
短時間の間に、ポインティング装置１の、位置情報の検出移動量あたりのカウント
数をスイッチ操作部分４に操作力が加えられたことを検知する前の状態に戻す
手段を備える。
【０００９】
本発明の誤操作防止機能を正常に機能させるためには、前述のスイッチ操作
部分４に指等で圧力が加えられたことを検知する手段３が、クリック感を備えた
スイッチ２のクリック感発生前に確実に圧力を検知する必要がある。これを実現
するため本発明では、クリック感を備えたスイッチ２に応力を伝えるスイッチ操作
部分４の表面から、クリック感を備えたスイッチ２の操作圧力が受け止められる
部位までの間に、クリック感を備えたスイッチ２の操作力よりも小さい操作力で
作動するスイッチか、もしくは感圧センサ等の圧力を検出する手段、もしくは
可変抵抗器等によるスイッチ操作部分４もしくはスイッチ２の操作ストローク量を
検出する手段を備える。
【発明の効果】
【００１０】
本発明により、ポインティング装置の操作において、ＣＡＤによる図面作成や
ＣＧ製作等の微細な位置情報入力を行う場合や、初心者や指の力が弱い人が
操作する場合に生じやすい、クリック感を備えたスイッチ操作時の振れによる
位置情報の誤入力の問題が解決する。また、例えばマウスにおいては、作業台
上の滑らかな滑走性と、スイッチ類の歯切れの良いクリック感の両方を追求する
上でも、このような誤入力の問題が障害であったが、本発明によって問題が取り
除かれ、一層の操作性の改良を図ることが可能になる。また、副次的な効果と
して、例えばマウスの場合、選択、決定操作等の直前に意図的にスイッチを軽く
押さえた状態で表示装置上のカーソル位置の微調整が容易になる。
【発明を実施するための最良の形態】
【００１１】
以下、本発明の実施の形態を図1〜図３に基づいて説明する。
【実施例１】
【００１２】
図１はコンピュータの入力等に用いるマウスに本発明を導入した例を示す簡略化
した断面図である。であり、スイッチ操作部分４に指等で圧力が加えられたことを
検知する手段３としてメンブレンスイッチ等の薄型シート状スイッチをスイッチ
操作部４の表面に備えたものである。薄型シートスイッチの配線は、フィルム基板
等の柔軟な屈曲性を備える手段によって基板に備えるコネクタに導き、これに接続
することで、スイッチ操作部分４の動きを阻害せずに回路基板と電気的に接続
している。この薄型シートスイッチの作動力はクリック感を備えたスイッチ２
よりも軽いものを用いることで、スイッチ２がクリック感を発生するよりも前の
段階の弱い操作力によって作動し、操作者がスイッチ２を作動させようとしている
ことを検知する。尚、薄型シートスイッチを用いる利点は操作ストローク量が
少ない事である。操作ストローク量が少なければクリックを備えたスイッチ２の
操作性に影響を及ぼし難いという利点がある。
【００１３】
次に誤入力防止機能を得るための作動タイミングの１例を図２に示す。図の下側
のスイッチストローク量-スイッチ操作力特性のグラフはクリック感を備えた
スイッチ２の操作特性６である。スイッチ操作力の上昇過程において一旦下がる
谷間が生じているが、この落差の部分がクリック感として感じられる部分である。
誤操作を防ぐためにはこのクリック感が発生するよりも前の時点で誤入力防止
動作を行う必用がある。この例ではクリック感発生開始７よりも前に、先に述べた
スイッチ２より操作力が軽い薄型シート状スイッチが作動し、マウスの位置情報の
検出移動量あたりのカウント数を減らす。位置情報の検出量移動量あたりのカウ
ント数変更タイミング９はスイッチ２の作動力特性６の上に示している。この更に
上に示しているのは、クリック感を備えたスイッチ２の電気的作動タイミングで
ある。
【００１４】
スイッチ操作部４に圧力が加えられたことを検知する手段３の検知出力を得た
時点で減らす位置情報の検出量移動量あたりのカウント数については、たとえば
１インチ移動させたときに送る移動量を伝える値を１００カウント以下、もしくは
５０カウント以下などの値に切り替えることで反応移動量が減り、ポインティング
装置１の僅かの振れであれば、例えば表示画面中のカーソルを操作する場合、この
移動を抑えることが出来る。
【００１５】
誤入力防止機能を解除するために位置情報検出手段の検出機能を元の状態に
戻すタイミングは、クリック感を備えたスイッチ２が電気的に作動した時点１０と
同時か、もしくはスイッチ２が電気的に作動してから例えば１秒以内等の短時間の
間に行う。これは、スイッチ２を押したままの状態で操作する場合があるため、
この様なタイミングで戻す必用がある。図２はクリック感を備えたスイッチ２が
電気的に作動した時点１０で同時に位置情報検出手段の検出移動量あたりのカウ
ント数を「カウント数減」から「通常カウント数」の状態に戻していることを
示している。
【実施例２】
【００１６】
実施例１では操作力が加えられたことを検知する手段３をスイッチ操作部分４の
表面に備えているが、この位置はスイッチ操作部分４の表面から、クリック感を備
えたスイッチ２の操作力が受け止められる部位までの間の操作力が伝達される
いずれの位置にこの手段を備えてもよい。実施例２では、ポインティング装置で
あるマウスにおいて、スイッチ操作部分４表面に操作力が加えられたことを検知
する手段３をマウス底面の滑走手段に備えた例を示す。クリック感を備えたスイッ
チ２になるべく近い位置に備えることで、操作力を検知しやすくしている。
マウスを操作する作業台が充分硬い素材であることを前提とする場合、このような
位置でも操作力の検知が可能である。その他の部分については実施例１と同様で
ある。
【００１７】
尚、実施例１および実施例２ではクリック感を備えたスイッチ２と、スイッチ操作
部分４に操作力が加えられたことを検知する手段３を別々の部品として備えて
いるが、これらは例えば２段階スイッチの様に、ひとつの部品にまとめたものを
用いても良い。但し、２段階スイッチの場合は最初に作動する側のスイッチを
スイッチ操作部分４に操作力が加えられたことを検知する手段３として用いる
ため、最初に作動するスイッチにはクリック感を備えないことが望ましい。
最初に作動する側のスイッチにクリック感を備える場合には手振れが生じる恐れが
無い程度の微弱なクリック感にする必要がある。
【図面の簡単な説明】
【００１８】
【図１】ポインティング装置の実施方法を示した断面図である。（実施例１）
【図２】ポインティング装置の作動タイミングを示した説明図である。
【図３】ポインティング装置の実施方法を示した断面図である。（実施例２）
【符号の説明】
【００１９】
１  ポインティング装置
２  クリック感を備えたスイッチ
３  操作力が加えられたことを検知する手段
４  スイッチ操作部分
５  位置情報検出手段
６  クリック感を備えたスイッチ２の操作力特性
７  クリック感発生開始
８  クリック感を備えたスイッチ２の電気的作動タイミング
９  位置情報の検出量移動量あたりのカウント数変更タイミング
１０  クリック感を備えたスイッチ２が電気的に作動
【手続補正３】
【補正対象書類名】図面
【補正対象項目名】図２
【補正方法】変更
【補正の内容】
【図２】
2006164124.tif 000006